Podtech/llm-jp-corpus-v4-ja_patent huggingface dataset:
【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
ＢＡＴＦ３、ＩＲＦ８、およびＰＵ．１からなる群から選択される、少なくとも２種の転写因子をコードする少なくとも２つのポリヌクレオチド配列の組み合わせを含む構築物またはベクター。
【請求項２】
前記少なくとも２種の転写因子は、
ａ）配列番号１または配列番号２（ＢＡＴＦ３）、
ｂ）配列番号５または配列番号６（ＩＲＦ８）、
ｃ）配列番号７または配列番号８（ＰＵ．１）
からなる群から選択される配列と少なくとも９０％同一である配列によりコードされる、
請求項１に記載の構築物またはベクター。
【請求項３】
前記少なくとも２種の転写因子の組み合わせが、５’から３’に向かって以下の順：
ＰＵ．１、ＩＲＦ８、ＢＡＴＦ３；または
ＩＲＦ８、ＰＵ．１、ＢＡＴＦ３
である、請求項１または２に記載の構築物またはベクター。
【請求項４】
前記ベクターが、ウイルスベクターである、請求項１〜３のいずれか１項に記載のベクター。
【請求項５】
前記ベクターが、レンチウイルス、レトロウイルス、アデノウイルス、ヘルペスウイルス、ポックスウイルス、およびアデノ随伴ウイルスベクターからなる群から選択される、請求項４に記載のベクター。
【請求項６】
医療において使用するための、ＢＡＴＦ３、ＩＲＦ８およびＰＵ．１からなる群から選択される少なくとも２種の転写因子をコードする少なくとも２つのポリヌクレオチド配列の組み合わせを含む構築物またはベクターを含む組成物。
【請求項７】
癌、神経変性疾患、加齢疾患、および感染性疾患からなる群から選択される疾患の治療において使用するための、ＢＡＴＦ３、ＩＲＦ８およびＰＵ．１からなる群から選択される少なくとも２種の転写因子をコードする少なくとも２つのポリヌクレオチド配列の組み合わせを含む構築物またはベクターを含む組成物。
【請求項８】
前記癌は、良性腫瘍、悪性腫瘍、早期癌、基底細胞癌、子宮頸部異形成、軟組織肉腫、生殖細胞腫瘍、網膜芽細胞腫、加齢黄斑変性、ホジキンリンパ腫、血液癌、前立腺癌、卵巣癌、子宮頸癌、子宮癌、膣癌、乳癌、上咽頭癌、気管癌、喉頭癌、気管支癌、細気管支癌、肺癌、中空臓器癌、食道癌、胃癌、胆管癌、腸癌、結腸癌、大腸癌、直腸癌、膀胱癌、尿管癌、腎臓癌、肝臓癌、胆嚢癌、脾臓癌、脳癌、リンパ系癌、骨癌、膵臓癌、白血病、皮膚癌、および骨髄腫からなる群から選択される、請求項７に記載の組成物。
【請求項９】
薬物スクリーニングにおける使用のための、ＢＡＴＦ３、ＩＲＦ８およびＰＵ．１からなる群から選択される少なくとも２種の転写因子をコードする少なくとも２つのポリヌクレオチド配列の組み合わせを含む構築物またはベクターを含む組成物。
【請求項１０】
免疫療法における使用のための、ＢＡＴＦ３、ＩＲＦ８およびＰＵ．１からなる群から選択される少なくとも２種の転写因子をコードする少なくとも２つのポリヌクレオチド配列の組み合わせを含む構築物またはベクターを含む組成物。
【請求項１１】
樹状細胞または抗原提示細胞に細胞をリプログラミングまたは誘導するための方法であって、
ａ）細胞に、ＢＡＴＦ３、ＩＲＦ８およびＰＵ．１からなる群から選択される少なくとも２種の転写因子をコードする少なくとも２つのポリヌクレオチド配列を含む１つまたは複数のベクターを形質導入するステップと、
ｂ）前記形質導入された細胞を、樹状細胞または抗原提示細胞の生育を支援する細胞培地中で培養するステップと
を含む、方法。
【請求項１２】
前記少なくとも２種の転写因子が、
ＢＡＴＦ３およびＰＵ．１；
ＩＲＦ８およびＰＵ．１；並びに、
ＢＡＴＦ３、ＩＲＦ８およびＰＵ．１
からなる群から選択される、請求項１１に記載の方法。
【請求項１３】
前記少なくとも２種の単離された転写因子の組み合わせが、５’から３’に向かって以下の順：
ＰＵ．１、ＩＲＦ８、ＢＡＴＦ３、または
ＩＲＦ８、ＰＵ．１、ＢＡＴＦ３
である、請求項１１または１２に記載の方法。
【請求項１４】
前記形質導入ステップが、免疫刺激性サイトカインおよび／またはＩＬ−１０を標的とするｓｉＲＮＡをコードする核酸配列を含む少なくとも１種のベクターをさらに含む、請求項１１〜１３のいずれか１項に記載の方法。
【請求項１５】
前記細胞が、分化細胞、内胚葉由来細胞、中胚葉由来細胞、外胚葉由来細胞、多能性幹細胞、間葉系幹細胞、造血系幹細胞、腸幹細胞を含む複能性幹細胞、線維芽細胞、臍帯血幹細胞、並びに癌細胞および細胞株からなる群から選択されるか、または前記細胞はヒトもしくはマウス線維芽細胞、またはホ乳動物臍帯血幹細胞である、請求項１１〜１４に記載の方法。
【請求項１６】
請求項１１〜１５のいずれか１項に記載の方法により得られる誘導樹状細胞。
【手続補正２】
【補正対象書類名】明細書
【補正対象項目名】配列表
【補正方法】変更
【補正の内容】
【配列表】
2020513191000001.app
【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
少なくとも第１のユーザ及び前記第１のユーザとは異なる第２のユーザによって制御可能な照明システムのためのコントローラであって、
第１の調光及び／又は色範囲にわたる第１のユーザによる照明システムの設定の調整を検出する、及び
第２のユーザが、前記第１の調光及び／又は色範囲よりも小さい、第２の調光及び／又は色範囲にわたって設定を設定することができるように、前記第１のユーザによる前記照明システムの設定の前記調整の関数として第２のユーザによる前記照明システムの調整可能性を制御する
よう構成される、コントローラであり、
当該コントローラは、前記第２のユーザによる前記照明システムの調整可能性が、前記第１のユーザが前記照明システムの設定を調整した時間に依存するように、前記第２のユーザによる前記照明システムの調整可能性を制御するよう構成される、コントローラ。
【請求項２】
前記第１のユーザによる前記照明システムの設定は、第１のサイズのステップで調整可能であり、当該コントローラは、前記第２のユーザが、前記第１のサイズとは異なる第２のサイズのステップにより設定を調整できるように、前記第２のユーザによる前記照明システムの調整可能性を制御するよう構成される、請求項１に記載のコントローラ。
【請求項３】
前記第２のユーザによる前記照明システムの設定は、ステップ的に調整可能であり、当該コントローラは、前記第２のユーザが、前記照明システムの現在の設定が前記第１のユーザによって設定された前記照明システムの設定から遠ざかるにつれてサイズが減少するステップにより設定を調整できるように、前記第２のユーザによる前記照明システムの調整可能性を制御するよう構成される、請求項１又は２に記載のコントローラ。
【請求項４】
前記照明システムの設定は、ある値の範囲にわたって制御可能であり、前記第１のユーザによる設定の前記調整は、設定を前記値の範囲内の値にすることであり、当該コントローラは、前記第２のユーザが、前記第１のユーザによって設定される設定についての値に依存する量だけ設定を調整できるように、前記第２のユーザによる前記照明システムの調整可能性を制御するよう構成される、請求項１、２又は３に記載のコントローラ。
【請求項５】
当該コントローラは、前記第２のユーザによる前記照明システムの調整可能性が、前記第１のユーザが前記照明システムの設定を調整した時間から、経時的に増加するように、前記第２のユーザによる前記照明システムの調整可能性を制御するよう構成される、請求項１乃至４のいずれか一項に記載のコントローラ。
【請求項６】
当該コントローラは、前記第２のユーザによる前記照明システムの調整可能性が、前記第２のユーザにより前記照明システムの設定を調整するために使用される入力デバイスに依存するように、前記第２のユーザによる前記照明システムの調整可能性を制御するよう構成される、請求項１乃至５のいずれか一項に記載のコントローラ。
【請求項７】
当該コントローラは、前記第１のユーザに与えられる優先度に比べた前記第２のユーザに与えられる優先度に従って、前記第２のユーザによる前記照明システムの調整可能性を制御するよう構成される、請求項１乃至６のいずれか一項に記載のコントローラ。
【請求項８】
少なくとも第１のユーザ及び前記第１のユーザとは異なる第２のユーザによって制御可能な照明システムを制御する方法であって、
前記照明システムのコントローラが、第１の調光及び／又は色範囲にわたる第１のユーザによる照明システムの設定の調整を検出するステップと、
前記コントローラが、第２のユーザが、前記第１の調光及び／又は色範囲よりも小さい、第２の調光及び／又は色範囲にわたって設定を設定することができるように、前記第１のユーザによる前記照明システムの設定の前記調整の関数として第２のユーザによる前記照明システムの調整可能性を制御するステップと
を含み、
前記コントローラは、前記第２のユーザによる前記照明システムの調整可能性が、前記第１のユーザが前記照明システムの設定を調整した時間に依存するように、前記第２のユーザによる前記照明システムの調整可能性を制御する、方法。
【請求項９】
前記第１のユーザによる前記照明システムの設定は、第１のサイズのステップで調整可能であり、前記第２のユーザによる前記照明システムの調整可能性を制御することは、前記第２のユーザが、前記第１のサイズとは異なる第２のサイズのステップにより設定を調整することを可能にする、請求項８に記載の方法。
【請求項１０】
前記第２のユーザによる前記照明システムの設定は、ステップ的に調整可能であり、前記第２のユーザによる前記照明システムの調整可能性を制御することは、前記第２のユーザが、前記照明システムの現在の設定が前記第１のユーザによって設定された前記照明システムの設定から遠ざかるにつれてサイズが減少するステップにより設定を調整することを可能にする、請求項８又は９に記載の方法。
【請求項１１】
前記照明システムの設定は、ある値の範囲にわたって制御可能であり、前記第１のユーザによる設定の前記調整は、設定を前記値の範囲内の値にすることであり、前記第２のユーザによる前記照明システムの調整可能性を制御することは、前記第２のユーザが、前記第１のユーザによって設定される設定についての値に依存する量だけ設定を調整することを可能にする、請求項８、９又は１０に記載の方法。
【請求項１２】
前記第２のユーザによる前記照明システムの調整可能性を制御することは、前記第１のユーザが前記照明システムの設定を調整した時間から、経時的に増加する、請求項８乃至１１のいずれか一項に記載の方法。
【請求項１３】
前記第２のユーザによる前記照明システムの調整可能性を制御することは、前記第２のユーザにより前記照明システムの設定を調整するために使用される入力デバイスに依存する、請求項８乃至１２のいずれか一項に記載の方法。
【請求項１４】
前記第２のユーザによる前記照明システムの調整可能性を制御することは、前記第１のユーザに与えられる優先度に比べた前記第２のユーザに与えられる優先度に依存する、請求項８乃至１３のいずれか一項に記載の方法。
【手続補正書】
【提出日】令和3年4月7日(2021.4.7)
【手続補正１】
【補正対象書類名】特許請求の範囲
【補正対象項目名】全文
【補正方法】変更
【補正の内容】
【特許請求の範囲】
【請求項１】
電気化学セルであって、
カソードと、
アノードと、
前記カソードおよび前記アノードと接触する電解質と、
前記カソードと接触する第１集電体と、
前記アノードと接触する第２集電体と、
限定的にＨ２ガスおよびＯ２ガスを透過させ、前記電気化学セルに直接設けられるまたは前記電気化学セルの周りに設けられる保護フィルムであって、前記電気化学セル内のＨ２ガスを前記電気化学セル外に出すことを可能とするように構成され、Ｈ２ガスのＯ２ガスに対する透過割合が１０：１以上である保護フィルムと、
基板と、を備える電気化学セルであって、
前記基板は、その上に電気絶縁体と金属箔とを有し、前記金属箔が、前記第１集電体および前記第２集電体の一方に接触し、
前記カソードと、前記アノードと、前記電解質と、前記第１集電体および前記第２集電体とは、前記保護フィルムと前記基板との間に位置して密閉される、
電気化学セル。
【請求項２】
前記電気化学セルは多価イオン電気化学セルである、請求項１に記載の電気化学セル。
【請求項３】
前記電気化学セルの動作状態もしくは貯蔵状態において、またはそれに近い状態において、一日当たり１０ｃｃ／ｍ２超のＯ２ガス透過率を有する、請求項１または２に記載の電気化学セル。
【請求項４】
少なくとも前記電解質中に配置された水分をさらに有する、請求項１から３のいずれか一項に記載の電気化学セル。
【請求項５】
前記電解質は、イオン性液体、金属塩、および／または水分を含む、請求項１から４のいずれか一項に記載の電気化学セル。
【請求項６】
前記保護フィルムは、ゼオライト添加物を含む、請求項１から５のいずれか一項に記載の電気化学セル。
【請求項７】
電気化学セルであって、
カソードと、
アノードと、
前記カソードおよび前記アノードと接触する電解質と、
前記カソードと接触する第１集電体と、
前記アノードと接触する第２集電体と、
限定的にＨ２ガスおよびＯ２ガスを透過させ、前記電気化学セルに直接設けられるまたは前記電気化学セルの周りに設けられる保護フィルムであって、（ｉ）単原子または移動性水素種の形成または（ｉｉ）水素または酸素の捕捉またはゲッタリングを促進する第１添加物を含む保護フィルムと、
基板と、を備える電気化学セルであって、
前記基板は、その上に電気絶縁体と金属箔とを有し、前記金属箔が、前記第１集電体および前記第２集電体の一方に接触し、
前記カソードと、前記アノードと、前記電解質と、前記第１集電体および前記第２集電体とは、前記保護フィルムと前記基板との間に位置して密閉される、
電気化学セル。
【請求項８】
前記第１添加物は、被酸化性金属膜、被酸化性金属粒子、または水素が可溶な金属または金属酸化物の膜または粒子を含む、請求項７に記載の電気化学セル。
【請求項９】
前記保護フィルムは、一日当たり１０ｃｃ／ｍ２未満の酸素透過率を有する、請求項７または８に記載の電気化学セル。
【請求項１０】
前記アノードは、（ｉ）単原子または移動性水素種の形成または（ｉｉ）水素または酸素の捕捉またはゲッタリングを促進する第２添加物を含む、請求項７から９のいずれか一項に記載の電気化学セル。
【請求項１１】
電気化学セルであって、
カソードと、
アノードと、
前記カソードおよび前記アノードと接触する電解質と、
前記カソードと接触する第１集電体と、
前記アノードと接触する第２集電体と、
限定的にＨ２ガスおよびＯ２ガスを透過させ、前記電気化学セルに直接設けられるまたは前記電気化学セルの周りに設けられる保護フィルムであって、水素からＨ２Ｏへの酸化または酸素からＨ２Ｏへの還元を促進する第１添加物を含む保護フィルムと、
基板と、を備える電気化学セルであって、
前記基板は、その上に電気絶縁体と金属箔とを有し、前記金属箔が、前記第１集電体および前記第２集電体の一方に接触し、
前記カソードと、前記アノードと、前記電解質と、前記第１集電体および前記第２集電体とは、前記保護フィルムと前記基板との間に位置して密閉される、
電気化学セル。
【請求項１２】
前記保護フィルムは、前記カソード、前記アノード、前記電解質、前記第１集電体、および前記第２集電体によって形成されるスタックの周りに適合する、請求項１から６のいずれか一項に記載の電気化学セル。
【請求項１３】
前記保護フィルムは、第１タブおよび第２タブの周りに適合し、前記第１タブおよび前記第２タブを基板と一緒に密閉し、前記第１タブは、前記第１集電体と接触し、前記第２タブは、前記第２集電体と接触する、請求項１から６および１２のいずれか一項に記載の電気化学セル。
【請求項１４】
前記第１タブまたは前記第２タブのうちの一方が前記基板の前記金属箔の一部である、請求項１３に記載の電気化学セル。
【請求項１５】
前記保護フィルムが、前記カソード、前記アノード、前記電解質、前記第１集電体、または前記第２集電体のうちの少なくとも１つに接触する感圧接着剤を含む、請求項１から６および１２から１４のいずれか一項に記載の電気化学セル。
【請求項１６】
前記保護フィルムが、Ｈ２ガス対Ｏ２ガスの透過比を少なくとも部分的に制御する金属酸化物トップコートを含む、請求項１から６および１２から１５のいずれか一項に記載の電気化学セル。
【請求項１７】
前記電気化学セルが印刷された電気化学セルである、請求項１から６および１２から１６に記載の電気化学セル。
【請求項１８】
前記カソードがＭｎＯ２を含む、請求項１から６および１２から１７に記載の電気化学セル。
【請求項１９】
前記保護フィルムが、少なくとも前記第１集電体または前記第２集電体の一部を露出する開口を含む、請求項１から６および１２から１８に記載の電気化学セル。
【請求項２０】
前記保護フィルムは、１０マイクロメートルから２００マイクロメートルの間の厚さを有する、請求項１から６および１２から１９に記載の電気化学セル。
【手続補正書】
【提出日】令和3年1月29日(2021.1.29)
【手続補正１】
【補正対象書類名】特許請求の範囲
【補正対象項目名】全文
【補正方法】変更
【補正の内容】
【特許請求の範囲】
【請求項１】
アスファルト含有舗装表面を処理する方法であって、
アスファルトバインダーに対して０．５〜１５重量％のステロールを有するアスファルトバインダーを含むステロール含有アスファルトバインダー乳剤を提供する工程と、
既存の舗装の表面に前記ステロール含有アスファルトバインダー乳剤を施す工程と、
を包含する方法。
【請求項２】
前記ステロール含有アスファルトバインダー乳剤は、チップシール層として施される、請求項１に記載の方法。
【請求項３】
前記ステロール含有アスファルトバインダー乳剤は、中間層に施された、摩耗層、ケープシール、またはタックコートの構成要素として施される、請求項１に記載の方法。
【請求項４】
前記ステロール含有アスファルトバインダー乳剤は、フォグシール、マイクロ表面層、またはスラリーシール層として施される、請求項１に記載の方法。
【請求項５】
前記ステロールは、前記アスファルトバインダーの重量の１〜１０重量％である、請求項１〜４のいずれか一項に記載の方法。
【請求項６】
前記ステロールは、純粋ステロールまたは粗ステロールを含む、請求項１〜５のいずれか一項に記載の方法。
【請求項７】
前記純粋ステロールまたは前記粗ステロールは、コレステロールを含む、請求項６に記載の方法。
【請求項８】
前記純粋ステロールは、植物ステロールとコレステロールとの混合物を含む、請求項６に記載の方法。
【請求項９】
前記粗ステロールの材料は、トール油ピッチ、または、大豆油もしくはトウモロコシ油由来の粗ステロールを含む、請求項６に記載の方法。
【請求項１０】
前記ステロールは、純粋ステロール対粗ステロールが１０：９０から９０：１０のステロール混合物を含む、請求項１〜９のいずれか一項に記載の方法。
【請求項１１】
処理された前記舗装は、再生アスファルト舗装（ＲＡＰ）、再生アスファルトシングル（ＲＡＳ）、または、ＲＡＰとＲＡＳとの両方の組み合わせを含有する、請求項１〜１０のいずれか一項に記載の方法。
【請求項１２】
前記アスファルトバインダーは、−５．０℃以上のΔＴｃを提供する、請求項１〜１１のいずれか一項に記載の方法。
【請求項１３】
請求項１〜１２のいずれか１項に記載の方法により形成されたアスファルト含有道路舗装表面。
【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
試料液体を収集、混合、希釈及び排出するための携帯用アプリケータ（１０）であって、
注入開口部（２４）と、排出開口部（２６）と、液体溶液を貯留するためのチャンバ（２２）とを有しており、前記チャンバ（２２）が前記注入開口部（２４）及び前記排出開口部（２６）に接続されている、本体（２０）と、
前記注入開口部（２４）を覆う蓋体（１２）と、
前記蓋体（１２）が前記本体の上部を覆う際に、前記注入開口部（２４）内に移動可能に支持されるチューブ（４０）であって、前記チャンバ（２２）の外側における所定の位置と、少なくともチューブ（４０）の一部が前記チャンバ内に配される位置との間を移動可能であるチューブ（４０）と、を備えている携帯用アプリケータ。
【請求項２】
前記チャンバ（２２）の排出口は、前記チャンバ（２２）の底部における突出部に、又は、前記本体（２０）の底部に収容された移動可能なプランジャの頂部に、設けられている、請求項１に記載の携帯用アプリケータ。
【請求項３】
前記チューブ（４０）が、前記注入開口部（２４）内に移動可能に収容されたプランジャによって支持されている、請求項１又は２に記載の携帯用アプリケータ。
【請求項４】
前記チャンバ（２２）が、破断可能なカプセルからなる、請求項１乃至３のいずれか１項に記載の携帯用アプリケータ。
【請求項５】
前記蓋体（１２）が軸方向への突出部を備えており、且つ、前記本体が前記蓋体（１２）の第１の位置を定める停止部を有している、請求項１乃至４のいずれか１項に記載の携帯用アプリケータ。
【請求項６】
前記蓋体が、約９０°回転することによって第２の位置に移る、請求項５に記載の携帯用アプリケータ。
【請求項７】
前記チューブ（４０）が、前記蓋体（１２）に接続されている、請求項１乃至６のいずれか１項に記載の携帯用アプリケータ。
【請求項８】
前記チャンバ（２２）が、前記チャンバの注入口（２７）及び／又は前記排出口（２９）を覆うための少なくとも一つの破断可能なシールを備えている、請求項１乃至７のいずれか１項に記載の携帯用アプリケータ。
【請求項９】
前記プランジャが、前記チャンバ（２２）又は前記カプセルに含まれる前記溶液を排出するための流路を備えている、請求項２に従属する請求項３乃至８のいずれか１項に記載の携帯用アプリケータ。
【請求項１０】
前記チューブ（４０）が、毛細管力によって試料液体を充填する、請求項１乃至９のいずれか１項に記載の携帯用アプリケータ。
【請求項１１】
前記チューブ（４０）は前記蓋体（１２）に載置されており、前記蓋体（１２）が前記チューブ（４０）の先端に吸引力を提供するための手段を備えている、請求項１乃至１０のいずれか１項に記載の携帯用アプリケータ。
【請求項１２】
閉状態における前記チャンバ（２２）又は前記カプセルが、減圧される、請求項１乃至１１のいずれか１項に記載の携帯用アプリケータ。
【請求項１３】
前記破断可能なシールが、箔又は膜である、請求項１乃至１２のいずれか１項に記載の携帯用アプリケータ。
【請求項１４】
前記排出開口部（２６）が、第２の蓋体によって覆われている、請求項１乃至１３のいずれか１項に記載の携帯用アプリケータ。
【請求項１５】
前記本体の前記頂部における前記注入開口部（２４）が、テーパー部を備えている、請求項１乃至１４のいずれか１項に記載の携帯用アプリケータ。
【請求項１６】
前記排出開口部が、携帯用アプリケータを試験デバイスにねじ込み可能にするためのねじ山を備えている、請求項１乃至１５のいずれか１項に記載の携帯用アプリケータ。
【請求項１７】
携帯用アプリケータによって試料液体を収集し、混合し、希釈し且つ排出するための方法であって、
前記携帯用アプリケータは、本体（２０）と、蓋体（１２）とチューブ（４０）とを有しており、
前記本体（２０）から前記蓋体（１２）を外すステップと、
前記チューブ（４０）によって前記試料液体を収集するステップと、
前記蓋体（１２）によって前記本体（２０）を覆うステップと、
前記蓋体（１２）を押し、それによって液体溶液が貯留された前記本体（２０）のチャンバ（２２）内へ前記チューブ（４０）を動かすステップと、
前記試料と前記液体溶液とを混合するステップと、
前記携帯用アプリケータを試験デバイス（５０）に配置するステップと、
前記試料液体の混合物を前記試験デバイス（５０）の挿入口（５１）へ放出するステップとを備えた、方法。
【請求項１８】
前記試料の混合物を放出するステップが、前記携帯用アプリケータ（１０）を前記試験デバイス（５０）の前記挿入口（５１）へ押すこと又はねじ込むことを備える、請求項１７に記載の方法。
【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
基板、前記基板上に配される赤外線吸収層、及び前記基板上に配されるバンドパスフィルタ層を有する集積デバイス、
前記集積デバイスの前記赤外線吸収層に到達するために、前記集積デバイスの前記バンドパスフィルタ層を通過する光を放射するように配される光源、並びに
前記赤外線吸収層の光伝導信号を測定するために、前記集積デバイスの前記赤外線吸収層と接続され、前記光伝導信号を二酸化炭素の分圧又は濃度値に変換するための信号処理回路を含む電子機器
を有するカプノメーターにおいて、
前記集積デバイスの前記バンドパスフィルタ層及び前記赤外線吸収層は、前記基板の同じ側に配され、前記バンドパスフィルタ層は、前記基板と前記赤外線吸収層との間に配されている、並びに
前記集積デバイスの前記基板は、少なくとも前記集積デバイスの前記バンドパスフィルタ層の通過帯域にわたり前記光源により放射された光に対し透過である、
カプノメーター。
【請求項２】
前記集積デバイスはさらに、
前記赤外線吸収層及び前記バンドパスフィルタ層が配される側とは反対側にある前記基板の側に配される反射防止（ＡＲ）コーティング層
を有する請求項１に記載のカプノメーター。
【請求項３】
前記集積デバイスの前記バンドパスフィルタ層の通過帯域は、４．２６ミクロンを含む、請求項１又は２に記載のカプノメーター。
【請求項４】
前記電子機器は、前記赤外線吸収層にわたる抵抗、電流及び電圧の１つから成る前記赤外線吸収層の前記光伝導信号を測定するために、前記集積デバイスの前記赤外線吸収層と接続されている、請求項１乃至３の何れか一項に記載のカプノメーター。
【請求項５】
前記集積デバイスと熱的に接続される温度センサをさらに有し、前記電子機器は、前記集積デバイスの温度を監視するために前記温度センサと接続されている、請求項１乃至４の何れか一項に記載のカプノメーター。
【請求項６】
呼吸ガスが流れる流路を含む二酸化炭素（ＣＯ２）測定セルをさらに有し、前記光源は、前記集積デバイスの前記バンドパスフィルタ層に到達する前に、前記二酸化炭素測定セルの前記流路を通過する光を放射するように配される、請求項１乃至５の何れか一項に記載のカプノメーター。
【請求項７】
前記集積デバイスの前記赤外線吸収層は、セレン化鉛（ＰｂＳｅ）層である、請求項１乃至６の何れか一項に記載のカプノメーター。
【請求項８】
基板、
前記基板上に配されるセレン化鉛（ＰｂＳｅ）層、
前記基板上に配される、及び前記セレン化鉛層と電気接続される電極、並びに
前記基板上に配される、４．２６ミクロンを含む通過帯域を持つバンドパスフィルタ層
を有する赤外線検出器において、
前記バンドパスフィルタ層及び前記セレン化鉛層は、前記基板の同じ側に配され、前記バンドパスフィルタ層は、前記基板と前記セレン化鉛層との間に配されている、並びに
前記基板は、４．２６ミクロンの赤外線に対し透過である、
赤外線検出器。
【請求項９】
前記バンドパスフィルタ層は、干渉フィルタを規定する多層スタックを有する、請求項８に記載の赤外線検出器。
【請求項１０】
４．２６ミクロンの赤外線に対し透過である前記基板は、ケイ素、ゲルマニウム、セレン化亜鉛、サファイア、酸化チタン、氷晶石、フッ化マグネシウム、ジルコニア、硫化亜鉛、フッ化鉛、フッ化カドミウム、硫化カドミウム、硫化亜鉛、酸化タンタル、酸化ニオブ、フッ化アンチモン又はゼロデュアを有する、請求項８又は９に記載の赤外線検出器。
【請求項１１】
前記セレン化鉛層は、０．５ミクロンから２．５ミクロンまでの間の厚さを持つ、請求項８乃至１０の何れか一項に記載の赤外線検出器。
【請求項１２】
前記セレン化鉛層に到達するために、前記バンドパスフィルタ層を通過する光を放射するように配される光源、及び
前記セレン化鉛層の光伝導信号を測定するために、前記電極と接続される電子機器
をさらに有する、請求項８乃至１１の何れか一項に記載の赤外線検出器。
【請求項１３】
前記光伝導信号は、前記セレン化鉛層にわたる抵抗、電流及び電圧の１つである、請求項１２に記載の赤外線検出器。
【請求項１４】
前記基板、前記基板上に配される前記セレン化鉛層、前記基板上に配される前記電極、及び前記基板上に配される前記バンドパスフィルタ層を有する集積されるフィルタ／検出器装置と熱的に接続される温度センサをさらに有し、前記電子機器は、前記集積されるフィルタ／検出器装置の温度を監視するために、前記温度センサと接続されている、請求項１２又は１３に記載の赤外線検出器。
【請求項１５】
前記電子機器は、前記光伝導信号を二酸化炭素の分圧又は濃度値に変換するための信号処理回路を含む、請求項１２乃至１４の何れか一項に記載の赤外線検出器。
【手続補正書】
【提出日】令和3年1月29日(2021.1.29)
【手続補正１】
【補正対象書類名】特許請求の範囲
【補正対象項目名】全文
【補正方法】変更
【補正の内容】
【特許請求の範囲】
【請求項１】
電気泳動装置用の支持板（１）であって、前記支持板（１）が、互いに平行な２つの平坦面（７、８）、および試料を置くことができる試料面を備え、前記２つの平坦面（７、８）のうちのある平坦面（７）が、前記試料面である、支持板（１）において、磁気特性を備えた領域（３、３．１、３．２）と配置具とを備え、前記磁気特性が前記電気泳動装置内に前記支持板（１）を固定するように構成されていることと、前記配置具が前記電気泳動装置内の前記支持板（１）の位置を保証するように構成されていることとを特徴とする、支持板（１）。
【請求項２】
前記試料面（７）が、前記試料をゲルスポットとして置くことができるように親水性の固定層を備える、請求項１に記載の支持板（１）。
【請求項３】
前記支持板（１）が基本形状を有し、前記配置具が、前記電気泳動装置内に所望の位置および所望の位置合わせで前記支持板（１）を配置および位置合わせするように構成されており、前記基本形状が、少なくとも１つの対称変換の下で前記基本形状自体に転位され、かつ前記対称変換の下で前記配置具が前記配置具自体に転位されないことを特徴とする、請求項１または２に記載の支持板（１）。
【請求項４】
前記配置具が、前記磁気特性を備えた前記領域（３、３．１、３．２）を備え、前記磁気特性を備えた前記領域（３、３．１、３．２）が前記領域自体に転位されないので、前記配置具が前記対称変換の下で前記配置具自体に転位されない、請求項３に記載の支持板（１）。
【請求項５】
前記支持板（１）が少なくとも２つの磁性領域を備え、第１の磁性領域（３．１）が第１の方向に沿って磁化されており、第２の磁性領域（３．２）が、前記第１の方向とは異なる第２の方向に沿って磁化されており、前記配置具が前記少なくとも２つの磁性領域を備える、請求項１〜４のいずれか一項に記載の支持板（１）。
【請求項６】
内表面（２）と、縁領域（４）と、マーク（５）とを更に備え、前記マーク（５）が、前記支持板上の複数の試料位置を明確に特定するように構成されている、請求項１〜５のいずれか一項に記載の支持板（１）。
【請求項７】
前記マーク（５）、および前記磁気特性を備えた少なくとも１つの前記領域（３、３．１、３．２）が、前記縁領域（４）内に配置されている、請求項６に記載の支持板（１）。
【請求項８】
前記支持板（１）が、分光用途および／または顕微鏡用途のための物体支持体（１５）を備える、請求項１〜７のいずれか一項に記載の支持板（１）。
【請求項９】
前記支持板（１）が内表面（２）と縁領域（４）とを備え、前記物体支持体（１５）が、前記内表面（２）の領域内に配置され、所定の破断点（１６）によって前記縁領域（４）に接続されている、請求項８に記載の支持板（１）。
【請求項１０】
請求項１〜９のいずれか一項に記載の支持板（１）用の保持具（２０）であって、電気泳動装置内への組付けのために構成されており、保持領域を備える保持具（２０）において、前記保持具（２０）が磁性を有するかまたは磁化可能であり、前記保持領域が前記電気泳動装置内に前記支持板（１）を固定するように構成されていることを特徴とする、保持具（２０）。
【請求項１１】
複数の保持領域を備え、少なくとも１つの保持領域が、対称変換の下での前記保持領域の位置の正確な転位が不可能となるように、他の保持領域に対して配置されている、請求項１０に記載の保持具（２０）。
【請求項１２】
２つの保持領域が、前記保持領域同士をつなぐ直線に沿った前記保持領域の対称位置から変位しているので、前記対称変換の下での前記保持領域の前記位置の前記正確な転位が不可能となる、請求項１１に記載の保持具（２０）。
【請求項１３】
請求項１〜９のいずれか一項に記載の支持板（１）と、請求項１０〜１２のいずれか一項に記載の保持具（２０）とを備える器具であって、前記保持領域の前記磁気特性が、前記支持板（１）を前記保持具（２０）に対して所望の位置および所望の位置合わせでのみ固定できるように、前記磁気特性を備えた前記領域（３、３．１、３．２）の前記磁気特性と適合されている、器具。
【請求項１４】
請求項１０〜１２のいずれか一項に記載の保持具を備える、電気泳動装置。
【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
ＵＶ−Ａ及び／又はＵＶ−Ｂ防御を有する化粧品組成物であって、
少なくとも１種の無機ＵＶフィルターと、
０．１〜９０μｍの体積中央粒径ｄ５０を有する表面反応炭酸カルシウムと
を含み、表面反応炭酸カルシウムが、天然粉砕炭酸カルシウム又は沈降炭酸カルシウムと二酸化炭素及び１種以上のＨ３Ｏ＋イオン供与体との反応生成物であり、二酸化炭素はＨ３Ｏ＋イオン供与体処理によってその場で形成され、及び／又は外部供給源から供給される、化粧品組成物。
【請求項２】
少なくとも１種の無機ＵＶフィルターが、二酸化チタン、酸化亜鉛、酸化鉄、ヒドロキシアパタイト、酸化セリウム、カルシウムがドープされた酸化セリウム、リン酸セリウム、及びそれらの混合物からなる群から選択される、請求項１に記載の化粧品組成物。
【請求項３】
少なくとも１種の無機ＵＶフィルターは、二酸化チタン、酸化亜鉛、ヒドロキシアパタイト、及びそれらの混合物からなる群から選択される、請求項２に記載の化粧品組成物。
【請求項４】
少なくとも１種の無機ＵＶフィルターが、１０〜１０００ｎｍの重量中央粒径ｄ５０を有する粒子の形態である、請求項１から３のいずれか一項に記載の化粧品組成物。
【請求項５】
少なくとも１種の無機ＵＶフィルターが、１２〜８００ｎｍの重量中央粒径ｄ５０を有する粒子の形態である、請求項４に記載の化粧品組成物。
【請求項６】
少なくとも１種の無機ＵＶフィルターが、化粧品組成物の総重量を基準として、１〜５０重量％の量で存在する、請求項１〜５のいずれか一項に記載の化粧品組成物。
【請求項７】
少なくとも１種の無機ＵＶフィルターが、化粧品組成物の総重量を基準として、２〜４０重量％の量で存在する、請求項６に記載の化粧品組成物。
【請求項８】
表面反応炭酸カルシウムが、０．１〜７５μｍの体積中央粒径ｄ５０を有する、請求項１〜７のいずれか一項に記載の化粧品組成物。
【請求項９】
表面反応炭酸カルシウムが、０．５〜５０μｍの体積中央粒径ｄ５０を有する、請求項８に記載の化粧品組成物。
【請求項１０】
表面反応炭酸カルシウムが、窒素及びＢＥＴ法を用いて測定して、１５ｍ２／ｇ〜２００ｍ２／ｇの比表面積を有する、請求項１〜９のいずれか一項に記載の化粧品組成物。
【請求項１１】
表面反応炭酸カルシウムが、窒素及びＢＥＴ法を用いて測定して、２０ｍ２／ｇ〜１８０ｍ２／ｇの比表面積を有する、請求項１０に記載の化粧品組成物。
【請求項１２】
天然粉砕炭酸カルシウムが、大理石、白亜、石灰石、及びそれらの混合物からなる群から選択されるか、又は
沈降炭酸カルシウムが、アラゴナイト、バテライト、又はカルサイト結晶形態を有する沈降炭酸カルシウム、及びそれらの混合物からなる群から選択される、請求項１〜１１のいずれか一項に記載の化粧品組成物。
【請求項１３】
少なくとも１種のＨ３Ｏ＋イオン供与体が、塩酸、硫酸、亜硫酸、リン酸、クエン酸、シュウ酸、酸性塩、酢酸、ギ酸、及びそれらの混合物からなる群から選択される、請求項１〜１２のいずれか一項に記載の化粧品組成物。
【請求項１４】
少なくとも１種のＨ３Ｏ＋イオン供与体が、塩酸、硫酸、亜硫酸、リン酸、シュウ酸、Ｌｉ＋、Ｎａ＋及び／又はＫ＋から選択されるカチオンによって少なくとも部分的に中和されるＨ２ＰＯ４−、Ｌｉ＋、Ｎａ＋、Ｋ＋、Ｍｇ２＋及び／又はＣａ２＋から選択されるカチオンによって少なくとも部分的に中和されるＨＰＯ４２−、並びにそれらの混合物からなる群から選択される、請求項１３に記載の化粧品組成物。
【請求項１５】
表面反応炭酸カルシウムが、化粧品組成物の総重量を基準として０．１〜５０重量％の量で存在する、請求項１〜１４のいずれか一項に記載の化粧品組成物。
【請求項１６】
表面反応炭酸カルシウムが、化粧品組成物の総重量を基準として０．５〜２０重量％の量で存在する、請求項１５に記載の化粧品組成物。
【請求項１７】
化粧品組成物が、少なくとも１種の有機ＵＶフィルターをさらに含む、請求項１〜１６のいずれか一項に記載の化粧品組成物。
【請求項１８】
少なくとも１種の有機ＵＶフィルターが、ケイ皮酸及びその塩の誘導体、サリチル酸及びその塩の誘導体、ベンゾフェノン、アミノ安息香酸及びその塩の誘導体、ジベンゾイルメタン、ベンジリデンカンフル誘導体、ベンズイミダゾール誘導体、ジフェニルアクリレート誘導体、アクリルアミド誘導体、ベンゾトリアゾール誘導体、トリアジン誘導体、ベンザルマロン酸塩誘導体、アミノ安息香酸塩誘導体、オクトクリレン、並びにそれらの混合物からなる群から選択される、請求項１７に記載の化粧品組成物。
【請求項１９】
化粧品組成物が、漂白剤、増粘剤、安定剤、キレート化剤、保存剤、湿潤剤、乳化剤、皮膚軟化剤、芳香剤、着色剤、皮膚日焼け化合物、酸化防止剤、顔料、油、水、及びそれらの混合物からなる群から選択される少なくとも１種の添加剤をさらに含む、請求項１〜１８のいずれか一項に記載の化粧品組成物。
【請求項２０】
化粧品組成物が、日焼け止め製品、アイメイクアップ製品、フェイシャルメイクアップ製品、リップケア製品、ヘアケア製品、ヘアスタイリング製品、ネイルケア製品、ハンドケア製品、スキンケア製品、又はそれらの組合せ製品である、請求項１〜１９のいずれか一項に記載の化粧品組成物。
【請求項２１】
表面反応炭酸カルシウムが、薬学的活性剤、生物学的活性剤、殺菌剤、防腐剤、香味剤、界面活性剤、油、芳香剤、精油、及びそれらの混合物から選択される少なくとも１種の活性剤と会合する、請求項１〜２０のいずれか一項に記載の化粧品組成物。
【請求項２２】
化粧品組成物を製造するための方法であって、少なくとも１種の無機ＵＶフィルターが、０．１〜９０μｍの体積中央粒径ｄ５０を有する表面反応炭酸カルシウムと混合され、
表面反応炭酸カルシウムが、天然粉砕炭酸カルシウム又は沈降炭酸カルシウムと二酸化炭素及び１種以上のＨ３Ｏ＋イオン供与体との反応生成物であり、二酸化炭素がＨ３Ｏ＋イオン供与体処理によってその場で形成され、及び／又は外部供給源から供給される方法。
【請求項２３】
ＵＶ−Ａ及び／又はＵＶ−Ｂ防御を有し、少なくとも１種の無機ＵＶフィルターを含む化粧品組成物の日焼け防止指数（ＳＰＦ）を向上させるための表面反応炭酸カルシウムの使用であって、
表面反応炭酸カルシウムは、０．１〜９０μｍの体積中央粒径ｄ５０を有し、及び
表面反応炭酸カルシウムは、天然の粉砕炭酸カルシウム又は沈降炭酸カルシウムと二酸化炭素及び１種以上のＨ３Ｏ＋イオン供与体との反応生成物であり、二酸化炭素はＨ３Ｏ＋イオン供与体処理によってその場で形成され、及び／又は外部供給源から供給される使用。
【請求項２４】
ＵＶ−Ａ及び／又はＵＶ−Ｂ防御を有し、少なくとも１種の無機ＵＶフィルターを含む、化粧品組成物の感覚特性を改善するための表面反応炭酸カルシウムの使用であって、
表面反応炭酸カルシウムは、０．１〜９０μｍの体積中央粒径ｄ５０を有し、及び
表面反応炭酸カルシウムは、天然粉砕炭酸カルシウム又は沈降炭酸カルシウムと二酸化炭素及び１種以上のＨ３Ｏ＋イオン供与体との反応生成物であり、二酸化炭素はＨ３Ｏ＋イオン供与体処理によってその場で形成され、及び／又は外部供給源から供給される使用。
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
Ｐ−セレクチン糖タンパク質リガンド−１（ＰＳＧＬ−１  ＧｅｎＢａｎｋ  Ａｃｃ．Ｎ．Ｑ１４２４２．１）の成熟細胞外ドメインを含む標的可溶性タンパク質を精製する方法であって、
前記タンパク質は、Ｎ末端にＰＳＧＬ−１の成熟型の少なくともａａ５−１６を含み、および神経網膜特異的ロイシンジッパータンパク質（ＮＣＢＩ  Ａｃｃ．Ｎ：ＮＰ＿００６１６８１）の少なくともａａ１８７〜２０８、または、ａａ１８７〜２０８と９０％相同のアミノ酸配列を含み、
前記方法は、前記の標的可溶性タンパク質を含む混合物を、
ａ）強力なアニオン交換（ＡＥ）固相クロマトグラフィー、
ｂ）疎水性相互作用（ＨＩ）固相クロマトグラフィーおよび
ｃ）ヒドロキシアパタイト（ＨＡ）固相クロマトグラフィー、
に、上記に示された順番で供するステップを含む、
方法。
【請求項２】
請求項１に記載の方法であって、
前記の強力なアニオン交換クロマトグラフィーは、トリス、トリシン、トリエタノールアミン、ＨＥＰＥＳ、ＴＥＳ、ＭＯＰＳおよびリン酸からなる群より選択されるバッファーと合わせて、強力なアニオン交換固相上に、前記の標的可溶性タンパク質を含む混合物をローディングするステップを含む、
方法。
【請求項３】
請求項２に記載の方法であって、
前記バッファーは、３０ｍＭよりも低い濃度で、ｐＨ６．５〜８のトリスまたはリン酸である、
方法。
【請求項４】
請求項２から３のいずれか一項に記載の方法であって、
生理食塩水の濃度を１Ｍまで増大することによる、定組成溶離または陽性勾配溶離の下での、ＮａＣｌまたはＫＣｌ生理食塩水を用いた前記の強力なアニオン交換固相からの標的タンパク質の溶離をさらに含む、
方法。
【請求項５】
請求項１から４のいずれか一項に記載の方法であって、
前記疎水性相互作用固相は、フェニル−疎水性固相である、
方法。
【請求項６】
請求項４から５のいずれか一項に記載の方法であって、
ＡＥから溶離された標的可溶性タンパク質を含む混合物は、高塩濃度を含むローディングバッファーにおいて前記疎水性相互作用固相クロマトグラフィー上にローディングされて、ここで塩類は、ＮａＣｌ、硫酸アンモニウムおよび硫酸カリウムからなる群より選択される、
方法。
【請求項７】
請求項６に記載の方法であって、
前記バッファーは、１００ｍＭよりも低い濃度のトリスであって、前記塩はＮａＣｌである、
方法。
【請求項８】
請求項７に記載の方法であって、
前記トリスバッファーにおいて、前記ＮａＣｌ濃度は３．５Ｍよりも高い、
方法。
【請求項９】
請求項５から８のいずれか一項に記載の方法であって、
緩衝液を加えることによる、前記疎水性相互作用（ＨＩ）固相クロマトグラフィーからの前記標的タンパク質の溶離をさらに含み、前記ＮａＣｌ塩濃度は２．５Ｍよりも低い、
方法。
【請求項１０】
請求項９に記載の方法であって、
ＨＩから溶離された可溶性標的タンパク質を含む混合物は、ｐＨ６．５〜８で１５ｍＭよりも低いバッファー濃度にされて、ＨＡカラム上にローディングされる、
方法。
【請求項１１】
請求項１０に記載の方法であって、
前記バッファーは、ｐＨ６．６〜７．４のトリスおよびリン酸から選択される、
方法。
【請求項１２】
請求項１０から１１のいずれか一項に記載の方法であって、
前記バッファーはリン酸であり、０．５ｍＭよりも低い濃度、好ましくは約０．３ｍＭでＣａＣｌ２を含む、
方法。
【請求項１３】
請求項１０から１１のいずれか一項に記載の方法であって、
前記バッファーはトリスであり、ＭｇＣｌ２を含む、
方法。
【請求項１４】
請求項１３に記載の方法であって、
ＭｇＣｌ２は、１．５ｍＭよりも低い濃度、好ましくは１．２ｍＭである、
方法。
【請求項１５】
請求項１０から１４のいずれか一項に記載の方法であって、
１５ｍＭよりも低くてｐＨ６．５〜８の適切なバッファー濃度は、希釈または透析濾過によって達成される、
方法。
【請求項１６】
請求項１２または１５に記載の方法であって、
前記標的タンパク質は、ヒドロキシアパタイト固相クロマトグラフィー後の素通り画分内に見られる、
方法。
【請求項１７】
請求項１３から１５のいずれか一項に記載の方法であって、
前記標的タンパク質は、リン酸イオン濃度を１５ｍＭよりも上に増大させることによって、前記ヒドロキシアパタイト固相から溶離される、
方法。
【請求項１８】
請求項１７に記載の方法であって、
前記の増大は、リン酸濃度勾配によって行われる、
方法。
【請求項１９】
請求項１から１８のいずれか一項に記載の方法であって、
前記標的可溶性タンパク質は、Ｎ末端に、ＰＳＧＬ−１（ＧｅｎＢａｎｋ  Ａｃｃ．Ｎ．Ｑ１４２４２．１）の成熟型の少なくともａａ１〜４７、神経網膜特異的ロイシンジッパータンパク質（ＮＣＢＩ  Ａｃｃ．Ｎ：ＮＰ＿００６１６８１）の少なくともａａ１８７〜２０８、および、少なくとも１つのＣｙｓを含む共有結合二量体化ドメインを含む、
方法。
【請求項２０】
請求項１９に記載の方法であって、
前記標的タンパク質は、配列番号１または配列番号２を有する、
方法。
【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
2種の異なるVHの間で共有される共通VLを作製する方法であって、以下の工程を含む方法：
（1）第1のVH（VH1）および第1のVL（VL1）を含む第1の可変領域（V1）ならびに第2のVH（VH2）および第2のVL（VL2）を含む第2の可変領域（V2）を提供する工程であって、V1が第1の抗原（Ag1）に対する結合活性を有し、かつV2が第2の抗原（Ag2）に対する結合活性を有する、工程；ならびに
（2）Kabatナンバリングに従って、VL1のHVR-L1、HVR-L2、またはHVR-L3内のある1つの位置におけるアミノ酸残基を、VL2のHVR-L1、HVR-L2、またはHVR-L3内の対応する位置におけるアミノ酸残基に置き換えることによって、改変VL（mVL）を構築する工程。
【請求項２】
以下の工程をさらに含む、請求項１に記載の方法：
（3）VL1のHVR-L1、HVR-L2、およびHVR-L3内のすべての位置におけるアミノ酸が置き換えられるまで、他の位置のアミノ酸に対して工程（2）を繰り返す工程。
【請求項３】
以下の工程をさらに含む、請求項２に記載の方法：
（2'）Kabatナンバリングに従って、VL2のHVR-L1、HVR-L2、またはHVR-L3内のある1つの位置におけるアミノ酸残基を、VL1のHVR-L1、HVR-L2、またはHVR-L3内の対応する位置におけるアミノ酸残基に置き換えることによって、改変VL（mVL）を構築する工程；ならびに
（3'）VL2のHVR-L1、HVR-L2、およびHVR-L3内のすべての位置におけるアミノ酸が置き換えられるまで、他の位置のアミノ酸に対して工程（2'）を繰り返す工程。
【請求項４】
以下の工程をさらに含む、請求項１〜３のいずれか一項に記載の方法：
（4）前記工程において構築されたmVLについて、それぞれVH1またはVH2と組み合わせた時のAg1またはAg2に対する結合活性を測定する工程。
【請求項５】
以下の工程をさらに含む、請求項４に記載の方法：
（5）工程（4）において測定されたmVLの結合活性に基づき、HVR-L1、HVR-L2、およびHVR-L3内のある1つの位置における好ましいアミノ酸残基を2種のアミノ酸残基から選択する工程であって、前記2種のアミノ酸残基の一方はVL1における対応する位置に存在するアミノ酸残基（AA1）であり、もう一方はVL2における対応する位置に存在するアミノ酸残基（AA2）である、工程；
（6）HVR-L1、HVR-L2、およびHVR-L3内における少なくとも2つの異なる位置に対して工程（5）を繰り返す工程；ならびに
（7）HVR-L1、HVR-L2、およびHVR-L3内のそれらの位置に工程（5）および（6）で選択されたアミノ酸残基を含む新規のVL（nVL）を構築する工程。
【請求項６】
HVR-L1、HVR-L2、およびHVR-L3内のすべての位置において好ましいアミノ酸残基が選択されるまで、工程（5）が繰り返される、請求項５に記載の方法。
【請求項７】
nVLのFR-L1、FR-L2、FR-L3、およびFR-L4より選択されるいずれか1つのFRのアミノ酸配列が、2種のアミノ酸配列より選択される、請求項５または６に記載の方法であって、前記2種のアミノ酸配列の一方はVL1の対応するFRのアミノ酸配列であり、もう一方はVL2の対応するFRのアミノ酸配列である、方法。
【請求項８】
VL1およびVL2の両方が、κ軽鎖に由来する可変領域である、請求項１〜７のいずれか一項に記載の方法。
【請求項９】
VL1およびVL2の両方が、λ軽鎖に由来する可変領域である、請求項１〜７のいずれか一項に記載の方法。
【請求項１０】
VL1のHVR-L1、HVR-L2、およびHVR-L3より選択されるいずれか1つのHVRのアミノ酸長が、VL2の対応するHVRのアミノ酸長と同じである、請求項１〜９のいずれか一項に記載の方法。
【請求項１１】
VL1のFR-L1、FR-L2、FR-L3、およびFR-L4より選択されるいずれか1つのFRのアミノ酸長が、VL2の対応するFRのアミノ酸長と同じである、請求項１〜１０のいずれか一項に記載の方法。
【請求項１２】
VL1のFR-L1、FR-L2、FR-L3、およびFR-L4より選択されるいずれか1つのFRのアミノ酸配列が、VL2の対応するFRのアミノ酸配列と比較した場合、50％以上の同一性を有する、請求項１〜１１のいずれか一項に記載の方法。